(57)【要約】【課題】ユーザが想定する施設を当てるための質問応答システムにおいて、質問と応答の繰り返しにより検出された複数の候補施設を絞り込む施設の絞込み装置及びその方法を提供する。【解決手段】ユーザが想定する施設を当てるための質問応答システムにおいて、質問と応答の繰り返しにより検出された複数の候補施設を絞り込む施設の絞込み方法であって、該検出された候補施設に関する候補施設情報を位置情報とともに保存し、該候補施設情報に関連付けられた位置情報に基づいて、絞込み用地図を生成し、該生成された絞込み用地図を表示し、該表示された絞込み用地図に対し、該ユーザの選択を受け付ける。【選択図】図１
2014149768.tif 000002
【特許請求の範囲】
【請求項１】
ユーザが想定する施設を当てるための質問応答システムにおいて、質問と応答の繰り返しにより検出された複数の候補施設を絞り込む施設の絞込み装置であって、
前記検出された候補施設に関する候補施設情報を位置情報とともに保存する候補施設情報保存部と、
前記候補施設情報に関連付けられた位置情報に基づいて、絞込み用地図を生成する地図生成部と、
前記生成された絞込み用地図を表示する地図表示部と、
前記表示された絞込み用地図に対し、前記ユーザの選択を受け付ける選択受付部と、
を備える、施設の絞込み装置。
【請求項２】
前記検出された候補施設の数が所定閾値以下であるとき、前記地図生成部を作動させるトリガ部、を備える、請求項１に記載の施設の絞込み装置。
【請求項３】
前記地図生成部は、前記候補施設を示すランドマークを付与して前記絞込み用地図を生成する、請求項１又は２に記載の施設の絞込み装置。
【請求項４】
前記地図生成部は、前記候補施設情報に関連付けられた位置情報の属する行政区画ごとに前記絞込み用地図を生成する、請求項１〜３のいずれか一項に記載の施設の絞込み装置。
【請求項５】
ユーザが想定する施設を当てるための質問応答システムにおいて、質問と応答の繰り返しにより検出された複数の候補施設を絞り込む施設の絞込み方法であって、
候補施設情報保存部が、前記検出された候補施設に関する候補施設情報を位置情報とともに保存する候補施設情報保存ステップと、
地図生成部が、前記候補施設情報に関連付けられた位置情報に基づいて、絞込み用地図を生成する地図生成ステップと、
地図表示部が、前記生成された絞込み用地図を表示する地図表示ステップと、
選択受付部が、前記表示された絞込み用地図に対し、前記ユーザの選択を受け付ける選択受付ステップと、
を備える、施設の絞込み方法。
【請求項６】
トリガ部が、前記検出された候補施設の数が所定閾値以下であるとき、前記地図生成ステップを作動させるトリガステップ、を備える、請求項５に記載の施設の絞込み方法。
【請求項７】
前記地図生成ステップでは、前記候補施設を示すランドマークを付与して前記絞込み用地図を生成する、請求項５又は６に記載の施設の絞込み方法。
【請求項８】
前記地図生成ステップでは、前記候補施設情報に関連付けられた位置情報の属する行政区画ごとに前記絞込み用地図を生成する、請求項５〜７のいずれか一項に記載の施設の絞込み方法。
【請求項９】
ユーザが想定する施設を当てるための質問応答システムにおいて、質問と応答の繰り返しにより検出された複数の候補施設を絞り込むためのコンピュータプログラムであって、コンピュータを、
前記検出された候補施設に関する候補施設情報を位置情報とともに保存する候補施設情報保存手段と、
前記候補施設情報に関連付けられた位置情報に基づいて、絞込み用地図を生成する地図生成手段と、
前記生成された絞込み用地図を表示する地図表示手段と、
前記表示された絞込み用地図に対し、前記ユーザの選択を受け付ける選択受付手段、
として機能させるコンピュータプログラム。
【請求項１０】
前記コンピュータを、更に、
前記検出された候補施設の数が所定閾値以下であるとき、前記地図生成手段を作動させるトリガ手段、として機能させる、請求項９に記載のコンピュータプログラム。
【請求項１１】
前記地図生成手段は、前記候補施設を示すランドマークを付与して前記絞込み用地図を生成する、請求項９又は１０に記載のコンピュータプログラム。
【請求項１２】
前記地図生成手段は、前記候補施設情報に関連付けられた位置情報の属する行政区画ごとに前記絞込み用地図を生成する、請求項９〜１１のいずれか一項に記載のコンピュータプログラム。
【請求項１３】
請求項９〜１２のいずれかに記載のコンピュータプログラムを記録する記録媒体。
【発明の詳細な説明】
【技術分野】
【０００１】
本発明は、ユーザが想定する施設を当てるための質問応答システムにおいて、質問と応答の繰り返しにより検出された複数の候補施設を絞り込む施設の絞込み装置及びその方法に関する。
【背景技術】
【０００２】
近年、対話型の質問形式によって、当該質問に対するユーザの回答に基づき、ユーザが想定している人物キャラクターを特定するシステムが存在している（非特許文献１）。そして、当該システムにおいて上記質問はテキストのみで表示されている。
【先行技術文献】
【非特許文献】
【０００３】
【非特許文献１】［ｏｎｌｉｎｅ］、［平成２４年１２月２４日検索］、インターネット＜ＵＲＬ：http://ja.wikipedia.org/wiki/Akinator＞
【発明の概要】
【発明が解決しようとする課題】
【０００４】
本発明者らは、上記人物キャラクター特定システムに関連して、ユーザが想定する施設を当てるための質問応答システムを考慮し、当該施設の絞込みに際してより視覚的に回答し易く、また娯楽性の高い質問を提供すべく、鋭意検討を重ねてきた。その結果、質問と応答の繰り返しにより検出された複数の候補施設の位置情報に基づいて、施設を絞り込むための絞込み用地図を生成し、当該生成された絞込み用地図を利用することで上記施設の絞込みを行うことが可能なことに想到した。
【課題を解決するための手段】
【０００５】
この発明は上述の課題に鑑みてなされたものであり、その第１の局面は次のように規定される。即ち、
ユーザが想定する施設を当てるための質問応答システムにおいて、質問と応答の繰り返しにより検出された複数の候補施設を絞り込む施設の絞込み装置であって、
前記検出された候補施設に関する候補施設情報を位置情報とともに保存する候補施設情報保存部と、
前記候補施設情報に関連付けられた位置情報に基づいて、絞込み用地図を生成する地図生成部と、
前記生成された絞込み用地図を表示する地図表示部と、
前記表示された絞込み用地図に対し、前記ユーザの選択を受け付ける選択受付部と、
を備える、施設の絞込み装置。
【０００６】
このように規定される第１の局面の施設の絞込み装置によれば、ユーザが想定する施設を当てるための質問応答システムにおいて、質問と応答の繰り返しにより検出された複数の候補施設情報に関連付けられた位置情報に基づいて、絞込み用地図を生成して表示し、表示された絞込み用地図の選択を受け付ける。このように、上記複数の候補施設をさらに絞り込むための絞込み用地図を表示することにより、ユーザが施設の絞込みを行うに際し、視覚的に分かり易く娯楽性も向上する。
【０００７】
ここで、上記絞込み用地図は、上記候補施設情報に関連付けられた位置情報に基づいて、ユーザが当該候補施設の絞込みを行えるよう生成される地図であれば特に限定されない。このような絞込み用地図として、例えば、上記候補施設に関連付けられた位置情報の属する領域を外縁として生成することができる。具体的には、地図データから、当該位置情報の属する領域を切り出して生成しても良く、また、地図データに基づいて表示される地図上で上記位置情報の属する領域を視覚で認識可能なように、当該領域の色表示を変更したり、当該領域の外縁を縁取りすることにより生成しても良い。上記絞込み用地図は、上記候補施設ごとに生成しても良いし、上記候補施設に関連付けられた位置情報が近接する場合には、近接する候補施設を一つの群として生成しても良い。具体的には、上記候補施設情報に関連付けられた位置情報の属する行政区画ごとに生成される絞込み用地図が挙げられる（第４の局面）。行政区画としては、例えば、日本において都道府県や市町村、米国において州や郡などを挙げることができる。また、「東海三県」のように隣接する行政区画を一つの群として上記絞込み用地図を生成しても良い。
【０００８】
第1の局面に規定の施設の絞込み装置において、前記検出された候補施設の数が所定閾値以下であるとき、前記地図生成部を作動させるトリガ部、を備える。
このように規定される第２の局面の施設の絞込み装置によれば、一定数以下の候補施設に基づいて上記絞込み用地図を生成するため、より効率的な施設の絞り込みを行うことができる。
【０００９】
第１又は第２の局面に規定の施設の絞込み装置において、前記地図生成部は、前記候補施設を示すランドマークを付与して前記絞込み用地図を生成する。
このように規定される第３の局面の施設の絞込み装置によれば、絞込み用地図上に候補施設を示すランドマークを付与するため、候補施設がより視覚的に明確に表され、ひいてはユーザによる施設の絞込みがさらに容易となる。
ここで、上記ランドマークとは、上記候補施設を示す目印となるものであれば特に限定されず、例えば、実物を模したアイコンとすることとできる。他の例としては、候補施設の種別やジャンルを示すアイコン、具体的には、温泉、スキー場、山、ゴルフ場、遊園地等を示すアイコンとすることとできる。
【００１０】
また、この発明の第５の局面は次のように規定される。即ち、
ユーザが想定する施設を当てるための質問応答システムにおいて、質問と応答の繰り返しにより検出された複数の候補施設を絞り込む施設の絞込み方法であって、
候補施設情報保存部が、前記検出された候補施設に関する候補施設情報を位置情報とともに保存する候補施設情報保存ステップと、
地図生成部が、前記候補施設情報に関連付けられた位置情報に基づいて、絞込み用地図を生成する地図生成ステップと、
地図表示部が、前記生成された絞込み用地図を表示する地図表示ステップと、
選択受付部が、前記表示された絞込み用地図に対し、前記ユーザの選択を受け付ける選択受付ステップと、
を備える、施設の絞込み方法。
このように規定される第５の局面の発明によれば、第１の局面と同等の効果を奏する。
【００１１】
この発明の第６の局面は次のように規定される。即ち、
第５の局面に規定の方法において、トリガ部が、前記検出された候補施設の数が所定閾値以下であるとき、前記地図生成ステップを作動させるトリガステップ、を備える。
このように規定される第６の局面の発明によれば、第２の局面と同等の効果を奏する。
【００１２】
この発明の第７の局面は次のように規定される。即ち、
第５又は第６の局面に規定の方法において、前記地図生成ステップでは、前記候補施設を示すランドマークを付与して前記絞込み用地図を生成する。
このように規定される第７の局面の発明によれば、第３の局面と同等の効果を奏する。
【００１３】
この発明の第８の局面は次のように規定される。即ち、
第５〜第６のいずれかの局面に規定の方法において、前記地図生成ステップでは、前記候補施設情報に関連付けられた位置情報の属する行政区画ごとに前記絞込み用地図を生成する。
このように規定される第８の局面の発明によれば、第４の局面と同等の効果を奏する。
【００１４】
更に、この発明の第９の局面は次のように規定される。即ち、
ユーザが想定する施設を当てるための質問応答システムにおいて、質問と応答の繰り返しにより検出された複数の候補施設を絞り込むためのコンピュータプログラムであって、コンピュータを、
前記検出された候補施設に関する候補施設情報を位置情報とともに保存する候補施設情報保存手段と、
前記候補施設情報に関連付けられた位置情報に基づいて、絞込み用地図を生成する地図生成手段と、
前記生成された絞込み用地図を表示する地図表示手段と、
前記表示された絞込み用地図に対し、前記ユーザの選択を受け付ける選択受付手段、
として機能させるコンピュータプログラム。
このように規定される第９の局面の発明によれば、第１の局面と同等の効果を奏する。
【００１５】
この発明の第１０の局面は次のように規定される。即ち、
第９の局面に規定のコンピュータプログラムにおいて、前記コンピュータを、更に、
前記検出された候補施設の数が所定閾値以下であるとき、前記地図生成手段を作動させるトリガ手段、として機能させる。
このように規定される第１０の局面の発明によれば、第２の局面と同等の効果を奏する。
【００１６】
この発明の第１１の局面は次のように規定される。即ち、
第９又は第１０の局面に規定のコンピュータプログラムにおいて、前記地図生成手段は、前記候補施設を示すランドマークを付与して前記絞込み用地図を生成する。
このように規定される第１１の局面の発明によれば、第３の局面と同等の効果を奏する。
【００１７】
この発明の第１２の局面は次のように規定される。即ち、
第９〜第１１のいずれかの局面に規定のコンピュータプログラムにおいて、前記地図生成手段は、前記候補施設情報に関連付けられた位置情報の属する行政区画ごとに前記絞込み用地図を生成する。
このように規定される第１２の局面の発明によれば、第４の局面と同等の効果を奏する。
【００１８】
第９〜第１２のいずれかの局面に規定されるコンピュータプログラムを記録する記録媒体が第１３の局面として規定される。
【図面の簡単な説明】
【００１９】
【図１】本発明の実施の形態の絞込み装置１の構成を示すブロック図である。
【図２】（Ａ）は候補施設情報保存部３に保存される候補施設情報の一例であり、（Ｂ）は地図生成部７が生成する絞込み用地図の一例を説明するための模式図である。
【図３】地図生成部７が生成する絞込み用地図の他の例を説明するための模式図である。
【図４】本発明の他の実施の形態の絞込み装置２１の構成を示すブロック図である。
【図５】本発明の他の実施の形態の絞込み装置２１の動作の一例を示すフローチャートである。
【図６】本発明の実施例の移動体端末装置５１の構成を示すブロック図である。
【図７】本発明の実施例の質問応答部５１５で用いられる、質問と施設ごとに予め用意された回答とを関連付けたテーブルの一例である。
【発明を実施するための形態】
【００２０】
この発明の実施の形態の施設の絞込み装置を説明する。
図１に、施設の絞込み装置１の概略構成を示す。
図１に示すように、この絞込み装置１は、候補施設情報保存部３、地図データ保存部５、地図生成部７、地図表示部９、選択受付部１１及び絞込み結果保存部１３を備えている。
【００２１】
候補施設情報保存部３には候補施設に関する候補施設情報が保存される。当該候補施設情報保存部３には、ユーザが想定する施設を当てるための質問応答システムにおいて、質問と応答の繰り返しにより検出された複数の候補施設に関し、当該施設を特定するためのＩＤ情報と位置情報とが関連付けて保存されている。例えば、図２（Ａ）に示すように、候補施設情報として「東京ディズニーランド（ＩＤ００１）」、「ユニバーサルスタジオジャパン（ＩＤ００２）」、「海遊館（ＩＤ００３）」、「としまえん（ＩＤ００４）」及び「鴨川シーワールド（ＩＤ００５）」が格納される。
地図データ保存部５には地図情報が保存される。当該地図データ保存部５は、リンクやノードなど地図情報を規定するための道路要素に関する情報と地図に描画される情報等を含んでいても良い。
【００２２】
地図生成部７は、地図データ保存部５を参照し、上記候補施設情報保存部３に保存された候補施設の位置情報に基づいて、絞込み用地図を生成する。この絞込み装置１において、地図生成部７は、ＩＤ００１、００４及び００５の位置情報に基づいて、第１の対象領域としての東京都と千葉県とを示す絞込み用地図Ａ及びＩＤ００２及び００３の位置情報に基づいて、第２の対象領域としての大阪府を示す絞込み用地図Ｂを生成することとできる（図２（Ｂ）参照）。他の例として、図３に示すように、第１の対象領域である東京都及び千葉県と第２の対象領域である大阪府とが含まれる地図において、東京都及び千葉県を示す領域（第１の対象領域）と大阪府（第２の対象領域）を示す領域とについて、領域の外縁を太線で囲うことにより、該当する領域を他の領域から区別して視認できるようにしても良い。また、上記例示した方法に代えてあるいはこれと併せて、当該領域内の色表示を変更することとしても良い。さらには、地図上に、候補施設を示すランドマークを付与することとしても良い。当該地図上に付与するランドマークとしては、上記「東京ディズニーランド」等の位置を示すことができれば良く、無印のアイコンであっても良いし、実物を模したアイコンや著名なキャラクターやロゴを模したアイコンであっても良い。また、候補施設の種別やジャンルを示すアイコンとしても良い。この場合、例えば、「東京ディズニーランド」、「ユニバーサルスタジオジャパン」及び「としまえん」については遊園地を示すアイコン、「海遊館」及び「鴨川シーワールド」については水族館を示すアイコンとすることができる。
【００２３】
地図表示部９は、上記地図生成部７で生成された絞込み用地図を表示する。当該表示の方法は、特に限定されず、上記生成された絞込み用地図のみを表示しても良いし、当該絞込み用地図と併せて行政区画の名称を表示することとしても良い。
選択受付部１１は、上記地図表示部９で表示された絞込み用地図に対するユーザの選択を受け付ける。当該選択を受け付ける方法は特に限定されないが、例えば、上記対象領域に対応して表示されるラジオボタンを設ければ、ユーザが想定する施設が含まれる対象領域に対応するラジオボタンをクリックすることにより上記選択を受け付けることができる。他の例として、ディスプレイに表示された絞込み用地図上の対象領域部分をタップすることにより、当該選択を受け付けることを可能としても良い。当該選択された対象領域に含まれる候補施設に関する情報は、絞込み結果保存部１３に保存される。
【００２４】
図４に、他の実施の形態の絞込み装置２１を示す。図４において、図１と同一の要素には同一の符号を付して、その説明を部分的に省略する。
図４に示すのは、候補施設の絞込みを効率的に実施可能な絞込み装置２１である。すなわち、当該装置２１は、図１に示す装置１において、トリガ部２３を更に備え、地図生成部７に代えて地図生成部２５を備えている。
トリガ部２３は、候補施設情報保存部３を参照して、検出された候補施設の数に基づき、当該候補施設の数が所定閾値以下であるとき、後述の地図生成部２５を作動させるためのトリガ信号を出力する。他にも、絞込み用地図を用いて効率的に施設の絞込みを行う例として、上記検出された候補施設に関連付けられた位置情報に基づいて、例えば、２つの行政区画に仕分け可能なとき、トリガ信号を出力することとしても良い。
上記トリガ信号が地図生成部２５内へ送られると、地図生成部２５は、地図生成部７と同様の方法により絞込み用地図を生成する。
【００２５】
図５を用いて、図４に示す絞込み装置２１の動作の一例を説明する。
まずステップ１では、候補施設情報保存部３は、上記質問応答システムにおいて質問と応答の繰り返しにより検出された複数の候補施設情報を位置情報とともに保存する。
ステップ３では、トリガ部２３は、ステップ１で保存された候補施設の数に基づき、該候補施設の数が所定閾値以下であるとき（ステップ３：Ｙｅｓ）、ステップ５へ進み、トリガ信号を出力する（ステップ５）。この例では、候補施設の数が５以下となったとき、トリガ信号を出力することとしている。
【００２６】
ステップ７では、地図生成部２５は、ステップ５で出力されたトリガ信号を受けると、地図データ保存部５を参照し、上記ステップ１で保存された候補施設の位置情報に基づいて、絞込み用地図を生成する。
ステップ９では、地図表示部９は、ステップ７で生成された絞込み用地図を表示する。
ステップ１１では、選択受付部１１は、ステップ９で表示された絞込み用地図における対象領域についてユーザの選択を受け付け、当該選択された対象領域に含まれる候補施設に関する情報を絞込み結果保存部１３へ保存する（ステップ１３）。
【００２７】
図６に、実施例の移動体端末装置５１を示す。図６において、図１及び図４と同一の要素には同一の符号を付して、その説明を部分的に省略する。
図６に示すのは、図４に示す装置２１を備えた移動体端末装置５１である。当該移動体端末装置は、ユーザが携帯可能な通信端末装置であり、例えば、携帯電話機、ＰＤＡ（Ｐｏｒｔａｂｌｅ Ｄｉｇｉｔａｌ Ａｓｓｉｓｔａｎｔｓ）、携帯ゲーム機、ノート型ＰＣ、ＰＮＤ（Ｐｏｒｔａｂｌｅ Ｎａｖｉｇａｔｉｏｎ Ｄｅｖｉｃｅ）、車載ナビゲーション装置、スマートフォン等が挙げられる。また、この例において、上記装置２１を移動体端末装置に組み込んで構成しているが、組み込む対象は移動体端末装置に限らず、例えば、備え置いて使用することを前提とするパーソナルコンピュータ等に組み込んで構成することとしても良い。この移動体端末装置５１は、制御部５１０、メモリ部５１１、入力部５１２、出力部５１３、インターフェース部５１４、質問応答部５１５、候補施設情報保存部３、地図データ保存部５、トリガ部２３、地図生成部２５、地図表示部９、選択受付部１１及び絞込み結果保存部１３を備えている。
【００２８】
制御部５１０はＣＰＵ、バッファメモリその他の装置を備えたコンピュータ装置であり、移動体端末装置５１を構成する他の要素を制御する。
メモリ部５１１にはコンピュータプログラムが保存され、このコンピュータプログラムはコンピュータ装置である制御部５１０に読み込まれて、これを機能させる。このコンピュータプログラムは、移動体端末装置の記憶装置としての内蔵ハードディスク又は内蔵メモリ、移動体端末装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
【００２９】
入力部５１２は、例えば、ユーザの指令の入力に用いられる。具体的には、後述の質問応答部５１５における質問に対する応答の入力等に用いられる。入力部５１２として、マウス、ライトペン又はディスプレイの表示内容と協働するタッチパネル等のポインティングデバイスやキーボード又はマイクロホン等の音声入力装置を用いることができる。
出力部５１３はディスプレイを含み、上記地図表示部９で表示するための絞込み用地図や、後述の質問応答部５１５において表示するための質問、応答の際の入力画面、その他の情報を表示する。この出力部５１３は音声発信部を含むこともできる。
インターフェース部５１４は移動体端末装置５１を無線ネットワーク等へ連結させる。
【００３０】
質問応答部５１５は、ユーザが想定する施設を当てるための質問応答システムを用いて、質問と応答の繰り返しにより候補施設を検出する。当該質問応答システムとしては、質問と応答とを繰り返すことにより候補施設を絞り込み、絞込みの結果、ユーザが想定する施設を当てることが可能なシステムであれば特に限定されない。このようなシステムの一例として、質問と、施設ごとに予め用意された回答とが関連付けられたテーブル（図７参照）を備え、当該テーブルを参照して、質問に対するユーザの応答に適合する施設を絞り込むシステムを挙げることができる。例えば、質問Ｑ１「行ったことがある？」に対して、ユーザが「Ｙｅｓ」である旨の応答した場合には、上記テーブルを参照し、質問Ｑ１に「Ｙｅｓ」である旨の回答が関連付けられた施設Ｐ１〜Ｐ４、Ｐ６〜Ｐ１０を候補施設として検出し、候補施設情報保存部３に保存する。次いで、質問Ｑ２を実施し、ユーザの応答が「Ｙｅｓ」である場合には、質問Ｑ１で検出された候補施設を更に絞り込み、施設Ｐ１〜Ｐ３、Ｐ６、Ｐ７、Ｐ１０を候補施設として検出し、候補施設情報保存部３に保存する。
【００３１】
上述したように、本発明の絞込み装置２１は、上記質問応答部５１５においてテキストで表される質問で行われる施設の絞込みに代えて、絞込み用地図を用いた施設の絞込みを行う。すなわち、トリガ部２３では、例えば、上記検出された候補施設の数が所定閾値以下となったとき、地図生成部２５へトリガ信号を出力し、該地図生成部２５により絞込み用地図が生成される。地図表示部９が当該生成された絞込み用地図を表示し、選択受付部１１がユーザの選択を受け付けることにより、例えば、上記質問Ｑ２で検出された候補施設Ｐ１〜Ｐ３、Ｐ６、Ｐ７、Ｐ１０を更に絞り込み、当該絞込み結果を絞込み結果保存部１３に保存する。そして、上記質問応答部５１５は、更に質問を重ね、当該絞込み結果保存部１３に保存された候補施設を更に絞込み、ユーザの回答に適合する施設に至ったとき、「あなたが思い描いているのは、施設○○でしょう？」とのメッセージを出力する。
【００３２】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００３３】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００３４】
１  ２１  施設の絞込み装置
３  候補施設情報保存部
５  地図データ
７  ２５  地図生成部
９  地図表示部
１１  選択受付部
１３  絞込み結果保存部
２３  トリガ部
５１  移動体端末装置
【図１】
2014149768.tif 000003
【図２】
2014149768.tif 000004
【図３】
2014149768.tif 000005
【図４】
2014149768.tif 000006
【図５】
2014149768.tif 000007
【図６】
2014149768.tif 000008
【図７】
2014149768.tif 000009